(57)【要約】【課題】  構造高さ及び／又は眼・対象物間隔が低減され、人間工学的使用可能性（操作性）が改善されたステレオ顕微鏡の提供。【解決手段】  作動状態において対象物（Ｔ）から放射された対象物ビーム（Ｋ１）が少なくとも１つのズーム光学系（２２）を介して案内されるよう構成された、該少なくとも１つのズーム光学系（２２）によって該対象物（Ｔ）を拡大するためのステレオ顕微鏡において、光方向に関し空間的に前記ズーム光学系（２２）の後方に配されるとともに、前記対象物ビーム（Ｋ１）の（進行）方向又は該対象物ビーム（Ｋ１）の（進行）方向に対して平行で同じ向きの方向から±１３５゜より大きな角度だけ逸れた（回転された）方向に前記ズーム光学系（２２）を介して案内された光ビームを偏向するよう構成された第１偏向装置（Ｐ４）を有することを特徴とする。
2006508391.tif 000002
【特許請求の範囲】
【請求項１】
作動状態において対象物（Ｔ）から放射された対象物ビーム（Ｋ１）が少なくとも１つのズーム光学系（２２）を介して案内されるよう構成された、該少なくとも１つのズーム光学系（２２）によって該対象物（Ｔ）を拡大するためのステレオ顕微鏡において、
光方向に関し空間的に前記ズーム光学系（２２）の後方に配されるとともに、前記対象物ビーム（Ｋ１）の方向又は該対象物ビーム（Ｋ１）の方向に対して平行で同じ向きの方向から±１３５゜より大きな角度だけ逸れた方向に前記ズーム光学系（２２）を介して案内された光ビームを偏向するよう構成された第１偏向装置（Ｐ４）を有すること
を特徴とするステレオ顕微鏡。
【請求項２】
前記第１偏向装置（Ｐ４）は、前記ズーム光学系（２２）を介して案内された光ビーム（Ａ２）を、実質的に前記対象物ビーム（Ｋ１）と反対の方向に、又は該対象物ビーム（Ｋ１）と該反対の方向に対して平行で同じ向きの方向（反平行）に偏向すること
を特徴とする請求項１に記載のステレオ顕微鏡。
【請求項３】
前記第１偏向装置（Ｐ４）は、前記ズーム光学系（２２）を介して案内された前記光ビーム（Ａ２）を実質的に前記対象物（Ｔ）の方向に偏向すること
を特徴とする請求項１又は２に記載のステレオ顕微鏡。
【請求項４】
光方向に関し空間的に前記第１偏向装置（Ｐ４）の後方に配されるとともに、前記第１偏向装置（Ｐ４）によって偏向された光ビーム（Ａ３）を鏡筒（４）へ偏向するよう構成された第２偏向装置（Ｐ５）を有し、
前記第２偏向装置（Ｐ５）によって偏向された光ビーム（Ａ４）は、場合により、前記ズーム光学系（２２）を通過する光ビーム（Ａ１）と反対の方向（向き）を指向すること
を特徴とする請求項１〜３の何れか１項に記載のステレオ顕微鏡。
【請求項５】
前記ズーム光学系（２２）は前記対象物ビーム（Ｋ１）に対して実質的に直角に配され、及び
光方向に関し空間的に前記ズーム光学系（２２）の前方に配されるとともに、前記対象物ビーム（Ｋ１）を前記ズーム光学系（２２）へ偏向するよう構成された第３偏向装置（Ｐ１）が備えられ、
前記第２偏向装置（Ｐ５）と前記第３偏向装置（Ｐ１）とが空間的に並置されること
を特徴とする請求項４に記載のステレオ顕微鏡。
【請求項６】
前記（第３及び第２）偏向装置（Ｐ１、Ｐ５）は、対象物ビームないし光ビーム（Ｋ１、Ａ２、Ａ３）を反射するための前面と、裏面とを備える光反射面を有し、
前記第２偏向装置（Ｐ５）と前記第３偏向装置（Ｐ１）は、各自の裏面同士が互いに向い合うよう配置されること、有利には互いに結合されること
を特徴とする請求項５に記載のステレオ顕微鏡。
【請求項７】
光方向に関し空間的に前記第２偏向装置（Ｐ５）の後方に鏡筒（４）が配されること、及び
前記第２偏向装置（Ｐ５）と前記第３偏向装置（Ｐ１）は、前記対象物ビーム（Ｋ１）が前記ズーム光学系（２２）を迂回して前記鏡筒（４）へ案内され得るように旋回可能又は回動可能に構成されること
を特徴とする請求項５又は６に記載のステレオ顕微鏡。
【請求項８】
前記第２偏向装置（Ｐ５）と前記第３偏向装置（Ｐ１）との間には、両側（両面）で光を反射するよう構成されたミラー層（ＳないしＳ’）が配されること
を特徴とする請求項５〜７の何れか１項に記載のステレオ顕微鏡。
【請求項９】
前記第２偏向装置（Ｐ５）と前記第３偏向装置（Ｐ１）は、一体的な単一部材として構成されること
を特徴とする請求項５〜８の何れか１項に記載のステレオ顕微鏡。
【請求項１０】
前記第１、第２又は第３の偏向装置（Ｐ４、Ｐ５、Ｐ１）は、画像反転を解消するための光学装置（複数）を有すること
を特徴とする請求項５〜９の何れか１項に記載のステレオ顕微鏡。
【請求項１１】
前記光学装置は、ダハプリズム又は中間結像装置を含むこと
を特徴とする請求項１０に記載のステレオ顕微鏡。
【発明の詳細な説明】
【技術分野】
【０００１】
本発明は、作動状態において対象物から放射された対象物ビームが少なくとも１つのズーム光学系を介して案内されるよう構成された、該少なくとも１つのズーム光学系によって該対象物を拡大するためのステレオ顕微鏡に関する。
【背景技術】
【０００２】
この種のステレオ顕微鏡は、例えばＥＰ−Ａ２−１ １２０ ６７６及びＵＳ−Ａ−５ ８２２ １１４から既知である。これら技術水準は、ＥＰ−Ａ２−１ １２０ ６７６の図２を参酌することによってよりよく理解することができる。このＥＰの顕微鏡は、広範囲に亘って本出願の図１に示されたものと同様の構造を有している。本出願の図１の説明と図面参照符号リストには、ＥＰ−Ａ２−１ １２０ ６７６の図面参照符号が大幅に取り入れられているため、当業者であればこの既知の構造及び本発明との相違点を簡単に理解することができる。
【０００３】
ステレオ顕微鏡を構築する場合、一方では眼・対象物間隔（これは観察眼と観察される対象物との間隔である）を小さく維持するために、他方ではステレオ顕微鏡を手術用顕微鏡として使用する場合にできるだけ小型かつコンパクトな構造とし、運動される質量に対して有利に作用し得るように、通常、構造高さをできるだけ小さく維持することが所望される。
【０００４】
旧来のステレオ顕微鏡の旋回状態ではない通常作動時では、主対物レンズとズーム光学系とを通過するビーム路はほぼ鉛直方向に延在する。
【０００５】
技術水準を示す上記刊行物には、目的ないし課題として、構造高さの低減が挙げられた。この目的は、ズーム光学系を横置きにする（その光軸が水平方向に延在するよう配置する）ことによって達成された。これにより、一方では顕微鏡の構造高さが、他方では眼・対象物間隔もまた低減された。
【特許文献１】ＥＰ−Ａ２−１ １２０ ６７６
【特許文献２】ＵＳ−Ａ−５ ８２２ １１４
【発明の開示】
【発明が解決しようとする課題】
【０００６】
しかしながら、構造高さの低減は、この既知の措置では限定的であり、また眼・対象物間隔の低減も限定的であるため、構造高さの（更なる）低減、ないしとりわけ眼・対象物間隔の低減が、ズーム光学系の横置き構成以外の他の措置によっても達成できないかという問題が提起される。
【０００７】
それゆえ、本発明の課題は、この種のステレオ顕微鏡の構造高さないし眼・対象物間隔を一層低減し、人間工学的使用可能性（操作性）を改善することである。
【課題を解決するための手段】
【０００８】
上記の課題を解決するために、作動状態において対象物から放射された対象物ビームが少なくとも１つのズーム光学系を介して案内されるよう構成され、該少なくとも１つのズーム光学系によって該対象物を拡大するためのステレオ顕微鏡が提供される。このステレオ顕微鏡において、光方向に関し空間的に前記ズーム光学系の後方に配されるとともに、前記対象物ビーム（の進行方向）と反対の方向から４５°未満−とりわけ２０°未満の角度だけ逸れた（回転された）方向へ、前記ズーム光学系を介して案内された光ビームを偏向するよう構成された第１光学偏向装置を有することを特徴とする。これは、ズーム光学系を通過した後偏向された光ビームが、ほぼ対象物ビームの出発点の方向を再び指向することを意味する。ここで「ほぼ」としたのは、（当該光ビームの進行方向が）対象物ビームの進行方向と反対の方向から横に±４５゜又は好ましくは±２０゜の範囲に広がること、即ち対象物ビームの（進行）方向を基準にして±１３５゜ないし好ましくは±１６０°の範囲に広がることを意味する。本発明においては、ビーム（複数）の（光）軸又は方向が互いに重なり合う必要はなく、互いに並列的に延在することも可能である。
【発明を実施するための最良の形態】
【０００９】
本発明においては、第１偏向装置をズーム光学系の後方に直接配することは必要ではない。むしろ、第１偏向装置とズーム光学系との間に、更なる偏向装置又は光学要素、例えばレンズ、ミラー、プリズム等を設けることができる。焦点（合焦）面から外に実質的に垂直に指向された対象物ビームがステレオ顕微鏡の光学系を通過するステレオ顕微鏡においては、とりわけ、第１偏向装置が、ズーム光学系を介して案内された光ビームを焦点（合焦）面に対しほぼ直角の方向へ指向させることによっても上記の課題は解決される。従って、典型的な実施形態では、対象物ビームの（進行）方向を基準とした１８０゜の方向への偏向が実行される。これにより、第１偏向装置は、ズーム光学系を介して案内された光ビームを、実質的に対象物ビームの（進行方向と）反対の方向に偏向する。
【００１０】
本発明の有利な一実施形態では、第１偏向装置が、ズーム光学系を介して案内された光ビームを、実質的に対象物に向う方向に偏向する。この場合、ズーム光学系を介して案内された光ビームは、更なる偏向を受けることなく、逆戻りして対象物を照射するかのように偏向される。この種の実施形態に対応する一実施例を図１と図２に例示した。これとは異なり、より上位の概念に対応する実施形態においては、本出願の図３に例示されているように、逆戻しされた光ビームが、直接対象物を照射するように進行するのではなく、対象物ビームと反対向きではあるが平行な方向（即ち、反平行）に進行するものと理解されるべきである。
【００１１】
本発明の更に有利な一実施形態では、ステレオ顕微鏡は、光方向に関し空間的に第１偏向装置の後方に配されるとともに、第１偏向装置を介して偏向された光ビームを観察ビーム路へ偏向するよう構成された第２偏向装置を有する。観察ビーム路は、例えば、ズーム光学系が横置きされる場合には、ズーム光学系を通過する光ビームの（進行方向と）ほぼ反対方向を指向するよう延在させることができ、これにより、ズーム光学系と観察ビーム路とが、主対物レンズに対して相対的にないし対象物に対して相対的にほぼ同じ構造高さ（の位置）に延在することが可能となる。これは、従来の（ズーム光学系（の長軸）が鉛直方向に配される）構造に対して格段の進歩を示している。
【００１２】
本発明の別の有利な一実施形態では、ズーム光学系が対象物ビームに対して実質的に直角に配され、光方向に関し空間的にズーム光学系の前方に配されるとともに対象物から放射された対象物ビームをズーム光学系に向かって偏向するよう構成された第３偏向装置を有し、好ましくは第２偏向装置及び第３偏向装置は空間的に互いに並置（隣接：nebeneinander）される。ズーム光学系のこのような配置は、本業界ではしばしば「横置き」と称される。この場合、第３偏向装置は、対象物ビームを（顕微鏡の焦点（合焦）面を基準として）その垂直方向から横置きの（即ち焦点（合焦）面に対し平行に延在する）ズーム光学系へ向かって偏向する。第２偏向装置及び第３偏向装置の並列的な空間的配置によって、コンパクトな構造が達成される。
【００１３】
本発明の更に有利な一実施形態では、偏向装置は、光ビームを反射するための前面と、裏面とを備える反射面を有し、第２偏向装置と第３偏向装置は各自の裏面同士が互いに向い合うよう配される。
【００１４】
本発明の別の有利な一実施形態では、光方向に関し空間的に第２偏向装置の後方に鏡筒が配され、第２偏向装置及び第３偏向装置は、対象物ビームがズーム光学系を迂回して直接鏡筒に案内され得るように旋回可能又は回動可能に構成される。これにより、ズーム光学系が１つの場合、顕微鏡は光学的構成部材を単純に機械的に切り換えることにより、医学的目標設定のための基準として有用な固定倍率にいつでも戻ることができる。従って、同様に基準調節（状態）に戻るズーム光学系のクリックストップ装置は不要とすることができる。
【００１５】
本発明の更に有利な一実施形態では、第２偏向装置と第３偏向装置との間に、両側（ないし両面）で光を反射するよう構成されたミラー層が配される。
【００１６】
本発明の別の有利な一実施形態では、第２偏向装置と第３偏向装置は共通に１つの単一部材に構成される（一体的な単一部材として構成される）。
【００１７】
本発明の更に有利な一実施形態では、上記３つの偏向装置（第１、第２及び第３偏向装置）のうちの１つが、ダハエッジ（ダハプリズム）又は他の装置−例えば画像反転を解消ないし相殺（補償）するため１つの中間結像装置−を有する（ないしダハプリズム又は他の装置として構成される）。また、この種の装置（複数）が偏向装置（複数）に割り当てられること（ないし複数の偏向装置がこの種の装置として構成されること）も可能である。
【００１８】
冒頭に述べた課題は、以下のように改善されたステレオ顕微鏡によっても独立して解決される。すなわち、少なくとも１つのズーム光学系によって対象物を拡大するステレオ顕微鏡であって、第１の作動状態では対象物から放射された対象物ビームが（第３）偏向装置によってズーム光学系へ案内され、光方向に関し空間的にズーム光学系の後方に配されるとともに偏向された光ビームを対象物から到来しかつズーム光学系へ案内された光ビーム（の進行方向）とは反対の方向に偏向するよう構成された更なる（第２）偏向装置が備えられ、更に、更なる（第２）偏向装置を光方向に関し空間的にズーム光学系の前方にもたらして対象物ビームをズーム光学系から逸れるように案内する第２の作動状態を生ぜしめることができ、及び（第３）偏向装置と更なる（第２）偏向装置が空間的に並置され、好ましくは一体的に構成されかつ回動可能ないし旋回可能に構成されたステレオ顕微鏡によっても解決される。
【００１９】
この独立的な発明の特別な一実施形態では、そもそも、第１の作動状態では（第３の）偏向装置の機能のみを実現しかつ第２の作動状態では（第２の）更なる偏向装置の機能のみを実現するよう構成されたただ１つの回動可能又は旋回可能な偏向装置しか使用しなくてもよい。
【００２０】
本発明の更なる実施形態及び変形実施形態は従属請求項に記載されている。
【００２１】
図面参照符号リスト及び図面は、特許請求の範囲に記載された特徴と共に本出願の開示の一体的構成部分をなす。
【００２２】
図面は相互関連的かつ包括的に記載されている。同じ参照符号は同じ構成要素を意味し、異なる添え字を付した参照符号は機能の同じ構成要素を示す。
【００２３】
更に有利な実施形態は、模式的に示した図面から看取することができる。
【実施例】
【００２４】
図１は、ＥＰ−Ａ２−１１２０６７６によるステレオ顕微鏡１を本発明に応じて変更した一実施例である。ＥＰ−Ａ２−１１２０６７６の図２と同じ図面参照符号は、構造において同じ又は同種の構成要素を示す。但し、単純化のため、助手２７のための同時観察鏡筒は１つしか示していない。Ｔは、対象物ビームＫ１を放射する対象物ないし焦点面（合焦面）を示す。この対象物ビームＫ１は、連結部７Ａを通過し、その後筐体２の開口部３を通過し、ステレオ顕微鏡１及びその対物レンズ２１に入射するが、場合によっては、その入射前に、光学ビームスプリッタＢ１によって分割され、対象物ビームＫ１の一部は場合によっては（他の）ビーム路（以降は不図示）へ分岐射出され、対象物ビームＫ１の他の一部は上記開口部３とレンズＬ２を通って偏向装置Ｐ１に入射する。
【００２５】
偏向装置Ｐ１は、特許請求の範囲及び明細書導入部に示した第３偏向装置の一例である。偏向装置Ｐ１の後、光ビームＡ１は、横置されたズーム光学系２２を通過する。ズーム光学系２２から出射した光ビームＡ１は、ズーム光学系２２の延長線上にある更なるビームスプリッタＢ２に入射し、ビームスプリッタＢ２によって光ビームは分割され、一部は助手２７のための同時観察鏡筒１１へ、他の一部は光ビームＡ２として偏向装置Ｐ２に導かれる。偏向装置Ｐ２によって光ビームＡ２は、更なる偏向装置Ｐ４へ偏向される。この更なる偏向装置Ｐ４は、特許請求の範囲及び明細書導入部に示した第１偏向装置の一例である。偏向装置Ｐ４は、光ビームＡ２を別の偏向装置Ｐ５へ偏向し（光ビームＡ３を参照）、この別の偏向装置Ｐ５から光ビーム（今はＡ４により示される。）は更に主観察者２６のための鏡筒４及び接眼レンズ５へ偏向される。
【００２６】
偏向装置Ｐ５は、特許請求の範囲及び明細書導入部に示した第２偏向装置の一例である。
【００２７】
偏向装置Ｐ１、Ｐ２、Ｐ４及びＰ５は、プリズムとして構成すると都合がよいが、プリズムに限定されるべきではない。
【００２８】
図から明らかであるように、鏡筒４ないし接眼レンズ５は、本発明によってないし第１偏向装置Ｐ４の使用によって、ＥＰ−Ａ２−１１２０６７６から既知の構造の場合よりも主対物レンズないし対象物Ｔのより近くに位置している。従って、眼・対象物間隔及び全体として顕微鏡１の構造高さも一層低減される。
【００２９】
ステレオ顕微鏡１は、更に、照明システム１３を通過しミラーＭ１を介して対象物Ｔに光を導くことができるガラスファイバケーブル１４又は光源を有する。更に、付加的に、レンズＬ４を介してモニタ（表示装置）２５からの画像をステレオ顕微鏡１のビーム路に差込入射するための差込入射装置１２を設けることができる。
【００３０】
図２は、図１の偏向装置Ｐ１、Ｐ４及びＰ５の互いに対する位置関係の詳細を示す。図１と同様に、Ａ１はズーム光学系２２内へ入射する光ビーム、Ａ２は第１偏向装置Ｐ４へ入射する光ビームを示す。Ａ３は偏向装置Ｐ４から出射して第２偏向装置Ｐ５へ入射する光ビームを示す。Ａ４は偏向装置Ｐ５から出射する光ビームを示す。
【００３１】
図２の構成では、偏向装置Ｐ１及びＰ５は、各自の裏面同士が互いに接触するように配置されている。Ｓは、２つの偏向装置Ｐ１及びＰ５の裏面間に付加的に設けられる両側（両面）ミラー層を示し、これにより、対象物ビームＫ１は偏向されて光ビームＡ１となり、光ビームＡ３は偏向されて光ビームＡ４となる。
【００３２】
ミラー層を有しない構成でも−例えば全反射によって−偏向装置Ｐ１及びＰ５は、対象物ビームＫ１及び光ビームＡ３が完全に反射されるよう構成することができ、或いは、少なくとも、これらビームのＰ１及びＰ５の通過を例えば隔壁ないし分離壁（Trennwand）によって阻止するように構成することもできる。
【００３３】
その他の構成部材から独立しても使用可能な本発明の特に有利な一実施例では、偏向装置Ｐ１及びＰ５を含む構造体は、対象物ビームＫ１を反射して光ビームＡ４とするよう、即ち対象物Ｔからの光を必要に応じてズーム光学系２２を迂回して主観察者２６のための鏡筒４に直接入射するよう回動可能に構成される。このようにして、ステレオ顕微鏡の操作者は、ズーム光学系２２を調整しなくても極めて簡単に低倍率から高倍率へ、及びその反対に切り換えることができ、その際に操作者はより低い方の倍率を例えば基準倍率として用いることができる。切り換えられた状態を図２に、偏向装置Ｐ１及びＰ５が回動された状態でのミラー面Ｓを示す破線Ｓ’で示した。図から明らかなとおり、この（回動された）状態では、対象物ビームＫ１は、観察ビームとして用いられる光ビームＡ４に直接移行する（偏向される）。
【００３４】
図３は、偏向装置Ｐ１、Ｐ４及びＰ５の構成に関する別の一実施例を示す。図１ないし図２に示した実施例との相違は、偏向装置Ｐ１とＰ５とが、空間的に直接並んで（隣接して）配置されていないことである。この構造によって、鏡筒４を一層深く（低い位置に）配置することができる。なぜなら、第２偏向装置Ｐ５が第３偏向装置Ｐ１に依存せず、従って、光ビームＡ１と比べて光ビームＡ４が深い（より低い）位置に延在することを示した図３から明らかなように、さらに深く（より低い位置に）配置することができるからである。このため、眼・対象物間隔をほぼ任意に短縮することができる。これとは別に、偏向装置Ｐ５は、旋回矢印２８で示したように、旋回可能に構成することができる。
【００３５】
更に、鏡筒４及び／又は接眼レンズ５のそれ自体既知の旋回可能性により、人間工学的な快適さは一層向上する。
【００３６】
図４は、偏向装置Ｐ１、Ｐ４及びＰ５の構成に関する更なる一実施例を示す。この実施例では、図３に示した実施例を更に変更して、偏向装置Ｐ４及びＰ５が、反射前後の光ビームのなす角が直角とならないように構成されている。光ビームＡ３が対象物ビームＫ１（の進行方向）に対して反対の方向に進行する図１、図２及び図３に示した実施例とは異なり、図４に示した実施例では、光ビームＡ３は対象物ビームＫ１に対して角度αだけ傾斜している。この場合、角度αは４５゜未満であり、好ましくは２０゜未満である。この角度が小さければ小さいほど、偏向された光ビームＡ３は一層対象物ビームＫ１（の進行方向）と反対の方向に（即ち、反平行に）近く進行する。角度αが小さければ小さいほど、偏向要素Ｐ４も小さく構成することができる。光ビームＡ３を基準にした偏向装置Ｐ５の図示の傾斜位置（状態）は、単なる例示である。この偏向装置Ｐ５（ないしその傾斜状態）は種々異なる角度位置をとることができ、これにより観察鏡筒を接続するための人間工学的態様を調整することができる。
【００３７】
図５は、偏向装置Ｐ１、Ｐ４及びＰ５の構成に関する他の一実施例を示す。この実施例では、図３に示した実施例を更に変更して、偏向装置Ｐ５が例えばペンタプリズムとして又はダハエッジないし面を有するプリズム（屋根型ダハプリズム：Dachprism）として構成され、これにより像反転を可能としている。像反転のための又は像反転を回避するためのこの種のプリズムの詳細は、ナウマン／シュレーダー（Naumann/Schroeder）の著書：「光学系の構造要素（Bauelemente der Optik）」、技術光学ハンドブック（Taschenbuch der technischen Optik）、第５版（5.Auflage）、１６２頁に記載されている。
【００３８】
図６は、偏向装置Ｐ１、Ｐ４及びＰ５の構成に関する特に有利な一実施例を示す。この実施例では、図２に示した実施例を更に変更して、偏向装置Ｐ４がペンタプリズムとして構成されている。同様に、前置された偏向要素及び中間結像面が奇数であることによって生じる像反転の阻止のために、ダハエッジを有するプリズムとして構成することもできる。このようにして、光ビームＡ４が対象物Ｔのミラー反転像を形成せず、しかも、図５に示した実施例とは異なり、（図２に示した実施例のような）偏向装置Ｐ１及びＰ５の互いに対する特に有利な構成を維持することができる。
【図面の簡単な説明】
【００３９】
【図１】本発明のステレオ顕微鏡の一例。
【図２】図１に示した実施例の細部であって、第１、第２及び第３偏向装置を特に有利な一態様で構成したもの。
【図３】本発明による第１、第２及び第３偏向装置の構成に対する別の一例。
【図４】本発明による第１、第２及び第３偏向装置の構成に対する更なる一例。
【図５】本発明による第１、第２及び第３偏向装置の構成に対する他の一例。
【図６】本発明による第１、第２及び第３偏向装置の構成に対する更なる他の一例。
【符号の説明】
【００４０】
１    ステレオ顕微鏡
２    筐体
３    開口部
４    鏡筒
５    接眼レンズ
７Ａ  連結部
１１  助手用鏡筒（副鏡筒）
１２  モニタ（２５）からの画像の差込入射装置
１３  照明システム
１４  ガラスファイバケーブル
２１  対物レンズ
２２  ズーム光学系
２５  モニタ
２６  主観察者
２７  助手
２８  旋回矢印（旋回方向を示す矢印）
Ａ    光ビーム（Ａ１、Ａ２、Ａ３、Ａ４）
Ｂ    ビームスプリッタ（Ｂ１、Ｂ２）
Ｂ３  像面から横方向に分岐射出するための付加的ビームスプリッタ
Ｋ１  対象物ビーム
Ｋ３  助手（２７）のための観察ビーム路
Ｌ    レンズ（Ｌ２、Ｌ４）
Ｍ１  ミラー
Ｐ    偏向装置（Ｐ１、Ｐ２、Ｐ４、Ｐ５）
Ｓ    ミラー層
Ｓ’  回動されたミラー層
Ｔ    対象物ないし焦点面（合焦面）
α    （Ｋ１）の方向と反対の方向（−Ｋ１）と光ビーム（Ａ３）との間の角度（図４）
【図１】
2006508391.tif 000003
【図２】
2006508391.tif 000004
【図３】
2006508391.tif 000005
【図４】
2006508391.tif 000006
【図５】
2006508391.tif 000007
【図６】
2006508391.tif 000008
【国際調査報告】
2006508391.tif 000009
2006508391.tif 000010
2006508391.tif 000011
2006508391.tif 000012